(57)【特許請求の範囲】
【請求項１】
シート状の包装材の相対する端部を平行に重ねて接着し、管状にした第１接着部と、この管状にした前記包装材の両開口端を板状に接着した２カ所の第２接着部により、レンズ付きフイルムユニットを密封する包装袋において、
前記包装袋内の第２接着部近傍から第２接着部内に向かって、袋状の非接着部を設け、この袋状の非接着部の閉鎖端付近に小孔を設けたことを特徴とする包装袋。
【発明の詳細な説明】
【０００１】
【産業上の利用分野】
本発明は、レンズ付きフイルムユニットを３方ピロー包装により密封する包装袋に関するものである。
【０００２】
【従来の技術】
低価格で手軽に写真撮影を楽しむことができるように、本出願人から「写ルンですＳｕｐｅｒ８００」（商品名）等のレンズ付きフイルムユニットが市販されている。これらのレンズ付きフイルムユニットは、購入したその場ですぐに写真撮影ができ、また撮影後もそのまま現像取り扱い店に出せばよいという簡便性から一般に広く利用されている。
【０００３】
このようなレンズ付きフイルムユニットは、その製造過程で写真フイルムが装填されてしまうため、製造後、実際にユーザーが使用するまでの間、装填された写真フイルムを湿気、塵埃から保護しておく必要がある。このためレンズ付きフイルムユニットは、メーカーから出荷されるときに包装袋で１つ１つ包装され、使用時にはユーザーがこの包装袋を開封するようにしている。
【０００４】
上述したような包装袋は一般的に、１枚のシート状の包装材料にレンズ付きフイルムユニットを載置し、包装材料の相対する端部を接着して管状にしてから、この管状になった包装材料の両開口端を封止する、所謂、３方ピロー包装による包装袋である。
【０００５】
この包装袋に用いられる包装材料は、従来、薄いアルミニウムシートに透明ポリエチレンシートをラミネートしたものが主流であったが、近年、産業廃棄物の適正処理への関心が高まるにつれ、包装袋を焼却処理した際に、不燃性のアルミニウムシートのみが燃え残ってしまうということが問題になってきた。そこで、最近ではアルミニウムシートを使用せずに、従来と同様の防湿性を確保するため、ＰＥＴと称されるポリエチレンテレフタレートのシート材にＳｉＯｘ蒸着等の防湿機能を付与した材料を数層に積層したものが、新たな包装材料として包装袋に使用されつつある。
【０００６】
そして、レンズ付きフイルムユニットは、上述したような包装袋に密封状態で包装され、出荷されている。しかし、比較的環境の変動が少ない製造工程から出たレンズ付きフイルムユニットは、輸送時や陳列時の外気温の変動により、包装袋内の空気が膨張し、包装袋が大幅に膨らんでしまうことがある。また、比較的長期間、販売店等に置かれていたレンズ付きフイルムユニットは、内蔵しているストロボ装置の乾電池やコンデンサからガスが放出されることがあり、このような要因でも包装袋が膨らんでしまうことがある。
【０００７】
特に、最近ではレンズ付きフイルムユニットをより一層手軽に購入出来るようにするため、駅や娯楽施設等で自動販売機によるレンズ付きフイルムユニットの販売が増加している。このような自動販売機内に収納されたレンズ付きフイルムユニットの包装袋が膨らんでしまうと、機械内部でレンズ付きフイルムユニットが詰まってしまい、金銭を投入したにも係わらず、商品であるレンズ付きフイルムユニットが出てこないという大きな問題が生ずる。この様な問題に対応するため、ガス抜き用の穴を設けた包装袋も知られている。
【０００８】
【発明が解決しようとする課題】
しかしながら、上述したように、包装袋の膨張を防ぐために穴を開けると、今度は、この穴から包装袋内に湿気が侵入し、包装袋の重要な役割の一つである防湿性の保持が損なわれ、包装されているレンズ付きフイルムユニットの写真フイルムに影響を与えるという問題が生じる。
【０００９】
本発明は上記従来技術の問題点を考慮してなされたもので、レンズ付きフイルムユニットを包装するための、３方ピロー包装による包装袋において、包装袋内の防湿性や防塵性を保持しながら、内部ガスの体積増加等による膨張を防止する包装袋を提供することを目的とする。
【００１０】
【課題を解決するための手段】
上記目的を達成するために、本発明の包装材は、相対する端部を平行に接着して管状にした第１接着部と、管状にした前記包装材の両開口端を板状に接着した２ヵ所の第２接着部により、レンズ付きフイルムユニットを密封する包装袋における、一方の前記第２接着部近傍の包装材が折り重なった部分に、小孔を設けたものである。
【００１１】
また、請求項２においては、相対する端部を平行に接着して管状にした第１接着部と、管状にした前記包装材の両開口端を板状に接着した２ヵ所の第２接着部により、レンズ付きフイルムユニットを密封する包装袋における、前記第２接着部近傍から第２接着部内に向かって、袋状の非接着部を設け、この袋状の非接着部の閉鎖端付近に小孔を設けたものである。
【００１２】
【実施例】
以下、本発明の実施例を図面を参照して説明する。図１は、内部にレンズ付きフイルムユニットを収納した、本発明の包装袋の外観斜視図である。また、図２は、図１の包装袋の一部断面図である。包装袋２は、各種図柄等が印刷された２層に重ねた薄いＰＥＴシートを、第１接着部である縦封止部３、及び、２ヵ所の第２接着部である上部封止部４、下部封止部５の３方で封止して袋状の収納空間７を成形したもので、この収納空間７に被包装物であるレンズ付きフイルムユニット６を防湿状態で収納している。
【００１３】
包装袋２の縦封止部３は、ＰＥＴシートの端部３ａを、折り返すようにした端部３ｂと約１０ｍｍ程度重ねて、後述する上部封止部４の端部から、下部封止部５の端部までの間を熱融着したもので、この縦封止部３と、上部封止部４、及び下部封止部５のみ、包装袋２の厚さが約２倍になっている。
【００１４】
上部封止部４は、縦封止部３で融着され筒状になったＰＥＴシートの端部４ａと端部４ｂとを、約２５ｍｍ程度重ね合わせて熱融着したものである。そして、上部封止部４の下方には、ＰＥＴシートの端部４ａと端部４ｂとが融着していない、包装袋２の収納空間７と繋がる袋状のガス抜き通路８が設けられている。さらに、このガス抜き通路８を構成しているＰＥＴシートの端部４ａ側には、ガス抜き通路８の内面と包装袋２との間で貫通している、直径０．２〜０．５ｍｍの小孔９が設けられている。
【００１５】
また、上部封止部４には、包装袋２に収納されたままレンズ付きフイルムユニット６を陳列する際に、ディスプレーのフック等に引っ掛けるための吊り下げ穴１１が設けられている。なお、下部封止部５も上部封止部４と同様、筒状になったＰＥＴシートの端部同士を熱融着したものであるが、融着する幅が上部封止部４よりも狭くなっている。
【００１６】
上述した実施例の作用を説明する。レンズ付きフイルムユニット６は、組み立て工程で組み立てが完了後、包装袋２で包装される。まず、展開状態の包装袋２にレンズ付きフイルムユニット６が置かれ、端部３ａを、折り返すようにした端部３ｂと約１０ｍｍ程度重ねてヒータにより熱融着し、縦封止部３を形成する。
【００１７】
縦封止部３により、レンズ付きフイルムユニット６を覆って筒状になった包装袋２は、今度は両開放端が下部封止部５、上部封止部４として熱融着される。この内、上部封止部４は、ＰＥＴシートの一方の開放端の端部４ａと端部４ｂとを、約２５ｍｍ程度重ね合わせて熱融着する。この時、上部封止部４の下方に、ＰＥＴシートの端部４ａと端部４ｂとを融着しない、袋状のガス抜き通路８が設けられる。
【００１８】
このように、包装袋２の収納空間７と繋がるガス抜き通路８が形成されたのち、シートの端部４ａ側には、ガス抜き通路８の内面と包装袋２との間で貫通している、直径０．２〜０．５ｍｍの小孔９が穿孔される。この後、他方の開放端から吸気され、包装袋２の内面がレンズ付きフイルムユニット６に密着する。最後に下部封止部５が熱融着され、レンズ付きフイルムユニット６の包装が完了し、出荷される。
【００１９】
出荷直後の包装袋２は、図２（Ａ）に示すように、レンズ付きフイルムユニット６と密着しており、収納空間７の内圧は外気圧と同様であるので、端部４ａと端部４ｂも密着している。従ってガス抜き通路８は完全に塞がれており、小孔９から収納空間７内に湿気が侵入したりすることはない。
【００２０】
しかし、レンズ付きフイルムユニット６が包装袋２に包装されたまま、長時間が経過すると、内蔵したストロボ装置の電池やコンデンサから、ガスが発生することがある。このようなガスが発生すると包装袋２は膨張し、このままでは自動販売機に装填されたレンズ付きフイルムユニット等は、詰まって故障の原因になる。
【００２１】
しかし、図２（Ｂ）に示すように、包装袋２の収納空間７が膨張し、内圧が外気圧より高くなると、端部４ａと端部４ｂとが離れる方向に力が働き、ガス抜き通路８が広がって開通する。これにより、収納空間７内のガスがガス抜き通路８を経て小孔９から放出される。
【００２２】
収納空間７内の膨張したガスが放出され、内圧が外気圧と同じになると、再び包装袋２とレンズ付きフイルムユニット６とが密着する。そして、端部４ａと端部４ｂも再び密着し、ガス抜き通路８が完全に塞がれるので、小孔９から収納空間７内に湿気が侵入することを防止する。
【００２３】
なお、上記実施例では、小孔を設けたガス抜き通路を比較的短く形成し、収納空間の近傍に設けたが、これ以外にも、例えば図３に示すように、ガス抜き通路２１を屈曲させて封止部２２を横切るように形成し、その先端に小孔２３を設けることにより、比較的長いガス抜き通路２１を形成してもよい。この場合、ガス抜き通路２１が長いので、収納空間２２内の内圧と外気圧とが同じときには、より確実にガス抜き通路２１が塞がれるので、防湿能力を更に高めることができる。
【００２４】
【発明の効果】
以上のように、本発明の包装袋によれば、第１接着部で管状にした包装材の両開口端を、板状に接着した第２接着部の包装材が折り重なった部分に、小孔を設けたので、レンズ付きフイルムユニットを包装する包装袋において、包装袋内の防湿性や防塵性を保持しながら、内部ガスの体積増加等による膨張を防止することが可能な包装袋を提供できる。
【図面の簡単な説明】
【図１】本発明を実施した包装袋の外観斜視図である。
【図２】図１の包装袋の一部断面図である。
【図３】本発明を実施した包装袋の、他の実施例の外観斜視図である。
【符号の説明】
２  包装袋
３  縦封止部
４  上部封止部
５  下部封止部
７  収納空間
８  ガス抜き通路
９  小孔
【図１】
0003578422.tif 000002
【図２】
0003578422.tif 000003
【図３】
0003578422.tif 000004